(57)【要約】      （修正有）【課題】アームの保護を確実にしながら打撃時の腕の屈曲と伸張とを違和感なくスムーズに行えるアームガードを提供する。【解決手段】ひじ保護部２と上膊保護部３とを連結する連結部４を、上膊保護部３の上膊パッド３２を延長してひじ保護部２の第一ひじパッド２２の内側に位置する第二ひじパッド４１に形成し、第二ひじパッド４１の両側縁と第一ひじパッド２２の両側縁とを固定し、第二ひじパッド４１の下端４１ａを非固定の自由端とする。ひじ保護部２のパッドを二層構造にしてひじ部の保護を確実にしながら、打撃前のひじの屈曲から打撃時のひじの伸張過程で、両ひじパッド２２、４１の両側縁が変形しやすく、かつ、両ひじパッド２２、４１の相互の変位が生じやすく、打者の違和感を減少させることができる。【選択図】図４
0003187849.tif 000002
【実用新案登録請求の範囲】
【請求項１】
ひじを保護するひじ保護部と、上膊を保護する上膊保護部と、前記ひじ保護部と前記上膊保護部とを連結する連結部と、前記ひじ保護部及び前記上膊保護部にそれぞれ設けられた固定バンド部材とを備えるとともに、前記ひじ保護部は凹状又は横断面円弧状の硬質合成樹脂製のひじ保護プレートと前記ひじ保護プレートの内側の柔軟性素材からなる第一ひじパッドとを備え、前記上膊保護部は横断面円弧状の硬質合成樹脂製の上膊保護プレートと前記上膊保護プレートの内側の柔軟性素材からなる上膊パッドとを備えたアームガードにおいて、
前記連結部は、前記上膊保護部の上膊パッドを延長して前記ひじ保護部の第一ひじパッドの内側に位置する第二ひじパッドに形成し、
前記第二ひじパッドの両側縁と前記第一ひじパッドの両側縁とを固定するとともに、前記第二ひじパッドの下端を非固定の自由端としたことを特徴とするアームガード。
【請求項２】
前記ひじ保護プレートを凹状に形成し、前記ひじ保護プレートの外面及び前記上膊保護プレートの外面にそれぞれポリウレタン及び複数のスポンジ片からなる衝撃緩衝材を固着し、
前記第二ひじパッドの両側縁と前記第一ひじパッドの両側縁とを縫製部により固定したことを特徴とする請求項１に記載のアームガード。
【考案の詳細な説明】
【技術分野】
【０００１】
本考案は、打者のひじ及び上膊を保護する野球やソフトボール用のアームガードに係り、ひじ保護部と上膊保護部とを連結する連結部の構造を、アームの保護を確実にしながら打撃時の腕の屈曲と伸張とを違和感なくスムーズに行えるようにした技術である。
【背景技術】
【０００２】
従来、野球・ソフトボール用のアームガードは、いろいろな構造のものが知られており、その一つとして、ひじを保護するひじ保護部の構造に特徴を持たせたものが知られている（例えば、特許文献１参照）。
また、従来、野球用アームガードとして、ひじ保護部と上膊保護部とを連結する連結部を、上膊保護部の上膊パッドを延長して第一ひじパッドの内側に位置する第二ひじパッドに形成し、第二ひじパッドの下端縁と第一ひじパッドの下端縁とを縫製部により固定したものが知られている（非特許文献１参照）。
【先行技術文献】
【特許文献】
【０００３】
【特許文献１】特許第4593597号公報（図７〜図９、明細書の段落００２０〜段落００２５）
【非特許文献】
【０００４】
【非特許文献１】ミズノ株式会社  ２０１２年１１月発行「Diamond Sports 2013 Baseball ＆ Softball  １８０頁  アームガード  2YA-907」
【考案の概要】
【考案が解決しようとする課題】
【０００５】
特許文献１に記載された従来の野球用アームガードは、硬質合成樹脂で成形されたひじ保護カップにおける凹部の構造と、ひじ保護カップの裏側のパッドの構造とからなるひじ保護部を、ひじ部に装着して競技した際にひじ部の保護とひじ部の屈伸とを容易にできることを目的としている。
しかしながら、特許文献１に記載のものは、上膊保護部の構造と上膊保護部とひじ保護部との連結部の構造については明確に記載されていない。
【０００６】
これらの構造が野球用アームガードとしてひじ部の保護とひじ部の屈伸の性能を左右するにもかかわらず、開示されていない。
したがって、この従来の技術は、ひじ保護部のみの部分性能が良好であるとしても、商品となる野球用アームガードとしての性能については明確でないという課題があった。
【０００７】
また、非特許文献１に記載された従来の野球用アームガードは、第二ひじパッドの下端縁と第一ひじパッドの下端縁とを縫製部により固定することにより、ひじ保護部のパッドを二層構造にしてひじ部の保護を確実にしながら、屈曲と伸張の性能を良好にしようとしている。
しかしながら、第二ひじパッドと第一ひじパッドとの下端縁を固定しているために、打撃前のひじの屈曲から打撃時のひじの伸張過程で、第一ひじパッドと第二ひじパッドとの相互の変位が生じ難く、打者に違和感を与えるという課題があった。
【０００８】
本考案は、このような従来の構成が有していた課題を解決しようとするものであり、ひじ保護部と上膊保護部とを連結する連結部を、上膊保護部の上膊パッドを延長してひじ保護部の第一ひじパッドの内側に位置する第二ひじパッドに形成し、第二ひじパッドの両側縁と第一ひじパッドの両側縁とを固定するとともに、第二ひじパッドの下端を非固定の自由端として、アームの保護を確実にしながら打撃時の腕の屈曲と伸張とを違和感なくスムーズに行えることを目的としている。
【課題を解決するための手段】
【０００９】
請求項１に係る本考案のアームガードは、ひじを保護するひじ保護部と、上膊を保護する上膊保護部と、前記ひじ保護部と前記上膊保護部とを連結する連結部と、前記ひじ保護部及び前記上膊保護部にそれぞれ設けられた固定バンド部材とを備えるとともに、前記ひじ保護部は凹状又は横断面円弧状の硬質合成樹脂製のひじ保護プレートと前記ひじ保護プレートの内側の柔軟性素材からなる第一ひじパッドとを備え、前記上膊保護部は横断面円弧状の硬質合成樹脂製の上膊保護プレートと前記上膊保護プレートの内側の柔軟性素材からなる上膊パッドとを備えたアームガードにおいて、
前記連結部は、前記上膊保護部の上膊パッドを延長して前記ひじ保護部の第一ひじパッドの内側に位置する第二ひじパッドに形成し、
前記第二ひじパッドの両側縁と前記第一ひじパッドの両側縁とを固定するとともに、前記第二ひじパッドの下端を非固定の自由端としたものである。
【００１０】
請求項２に係る本考案のアームガードは、請求項１に係る本考案のアームガードの構成に加え、前記ひじ保護プレートを凹状に形成し、前記ひじ保護プレートの外面及び前記上膊保護プレートの外面にそれぞれポリウレタン及び複数のスポンジ片からなる衝撃緩衝材を固着し、
前記第二ひじパッドの両側縁と前記第一ひじパッドの両側縁とを縫製部により固定したものである。
【考案の効果】
【００１１】
請求項１に係る本考案のアームガードは、ひじ保護部と上膊保護部とを連結する連結部を、前記上膊保護部の上膊パッドを延長して前記ひじ保護部の第一ひじパッドの内側に位置する第二ひじパッドに形成し、第二ひじパッドの両側縁と第一ひじパッドの両側縁とを固定するとともに、第二ひじパッドの下端を非固定の自由端としたとしたから、ひじ保護部のパッドを二層構造にしてひじ部の保護を確実にしながら、打撃前のひじの屈曲から打撃時のひじの伸張過程で、両ひじパッドの両側縁が変形しやすく、かつ、両ひじパッドの相互の変位が生じやすく、打者の違和感を減少させることができるのである。
また、前記第二ひじパッドの両側縁と前記第一ひじパッドの両側縁とを固定しているから、ひじ保護部に設けた固定バンドにより両ひじパッドが変形して打者のひじ部へのひじ保護部の装着を確実にすることができるのである。
【００１２】
請求項２に係る本考案のアームガードは、請求項１に係る本考案のアームガードの効果に加え、前記ひじ保護プレートを凹状に形成し、前記ひじ保護プレートの外面及び前記上膊保護プレートの外面にそれぞれポリウレタン及び複数のスポンジ片からなる衝撃緩衝材を固着し、前記第二ひじパッドの両側縁と前記第一ひじパッドの両側縁とを縫製部により固定したから、投球がアームガードに当たった際の衝撃を一層緩衝することができるのである。
【図面の簡単な説明】
【００１３】
【図１】本考案の実施の形態に係る野球用アームガードの正面図である。
【図２】図１の背面図である。
【図３】図１の左側面図である。
【図４】図１のＡ−Ａ線断面図である。
【図５】本考案の実施の形態に係る野球用アームガードのひじ保護プレートの背面            側斜視図である。
【図６】本考案の実施の形態に係る野球用アームガードの上膊保護プレートの背面側斜視図である。
【図７】本考案の実施の形態に係る野球用アームガードの使用状態を示す説明図である。
【考案を実施するための形態】
【００１４】
以下、本考案の実施の形態を添付した図面により詳細に説明する。
図１〜図７は、本考案の実施の形態に係る図面であり、図１は野球用アームガードの正面図、図２は図１の背面図、図３は図１の左側面図、図４は図１のＡ−Ａ線断面図、図５はひじ保護プレートの背面側斜視図、図６は上膊保護プレートの背面側斜視図、図７は使用状態を示す説明図である。
【００１５】
図１〜図４において、１は投手の投球が打者のひじや上膊に当たったときの衝撃を緩和する野球用アームガードである。
野球用アームガード１は、打者のひじを保護するひじ保護部２と、打者の上膊を保護する上膊保護部３と、前記ひじ保護部２と前記上膊保護部３とを連結する連結部４とを備えている。
【００１６】
前記ひじ保護部２は、図４に示すように、ひじ保護プレート２１と、ひじ保護プレート２１の内側の第一ひじパッド２２と、ひじ保護プレート２１の外面に固着したひじ衝撃緩衝材２３とを備えている。
ひじ衝撃緩衝材２３は、ポリエステル製裏側布２４を介して固着したポリウレタン２５、複数のスポンジ片２６及びポリエステル製表側布２７の三層構造に形成して、投手の投球が当たったときのひじへの衝撃を緩衝するようにしている。
【００１７】
また、前記上膊保護部３は、図４に示すように、上膊保護プレート３１と、上膊保護プレート３１の内側の上膊パッド３２と、上膊保護プレート３１の外面に固着した上膊衝撃緩衝材３３とを備えている。
上膊衝撃緩衝材３３は、ポリエステル製裏側布３４を介して固着したポリウレタン３５、上方部と下方部の複数のスポンジ片３６及びポリエステル製表側布３７の三層構造に形成して、投手の投球が当たったときの上膊への衝撃を緩衝するようにしている。
【００１８】
前記連結部４は、図２及び図４に示すように、前記上膊保護部３の上膊パッド３２を前記ひじ保護部２側に延長してひじ保護部２の第一ひじパッド２２の内側に位置する第二ひじパッド４１に形成している。
このように、上膊パッド３２と第二ひじパッド４１とを一体に形成して上膊保護部３とひじ保護部２の両方のパッドの機能を備えたアームパッド１１として機能するようにしている。
【００１９】
前記ひじ保護プレート２１は、図５に示すように、打者の打撃前の屈曲状態のひじを受入れるように窪み２１ａを備えた凹状に形成している。
前記ひじ保護プレート２１の凹状の具体的な形状は、この実施の形態では、横断面が半径約１００ｍｍの円弧状、縦断面が半径約８０ｍｍの円弧状、横幅方向の寸法を背面投影で約１４０ｍｍ、上下方向寸法を中心の背面投影で約１００ｍｍの窪み２１ａとしている。
【００２０】
そして、ひじ保護プレート２１は、材質をポリエチレン樹脂などの硬質合成樹脂で形成し、厚みを約３ｍｍとし、上端側を背面投影で半径約８０ｍｍの円弧状とし、中央部に外方への凸状部２１ｂと、周縁部に間隔を置いて２本の突条部２１ｃ、２１ｄを形成して剛性を高めている。
また、前記上膊保護プレート３１は、図６に示すように、打者の上膊を受入れるように横断面が半径約５０ｍｍの円弧状に形成し、上下方向の寸法を中心で約１２３ｍｍ、横幅方向の寸法を背面投影で約８８ｍｍに形成している。
【００２１】
そして、上膊保護プレート３１は、材質をポリエチレン樹脂などの硬質合成樹脂で形成し、厚みを約３ｍｍとし、下端側を背面投影で半径約５０ｍｍの円弧状とし、外方への凸状部３１ａ、３１ｂ、３１ｃを３か所に形成して剛性を高めている。
前記第一ひじパッド２２及び上膊パッド３２と第二ひじパッド４１とからなるアームパッド１１は、図４に示すように、いずれも内側から順にポリエステル布、ポリエチレンフォーム及び人工皮革の３層に積層した柔軟性素材で形成するとともに、厚みを約４ｍｍとしている。
【００２２】
前記第一ひじパッド２２は、前記ひじ保護プレート２１の凹状の窪み２１ａよりも大きな曲面の凹状の窪み２２ａを中央部に有し、周縁がひじ保護プレート２１の周縁よりもはみ出るとともに中央部がひじ保護プレート２１と離間して空所を有する状態に形成している。
また、第一ひじパッド２２の周縁には、綿布製の縁巻テープ２２ｂを縫製により設けている。
【００２３】
前記上膊パッド３２と第二ひじパッド４１とを一体に形成したアームパッド１１における上膊バッド３２は、前記上膊保護プレート３１の横断面円弧状の曲面に沿った半円筒状面を中央部に有する下方と両側方及び上方の周縁が上膊保護プレート３１の周縁よりもはみ出る大きさの曲面に形成している。
また、アームパッド１１における第二ひじパッド４１は、図２及び図４に示すように、前記第一ひじパッド２２の凹状の窪み２２ａに沿い、下端部分４１ａが水平状であって第一ひじパッド２２の下端よりも小さく、上方部分が上膊パッド３２の曲面となだらかに連続する曲面に形成している。
【００２４】
さらに、アームパッド１１における上膊パッド３２と第二ひじパッド４１との境界部分は両側縁が内方に入り込んだ縊れ部１１ａを形成している。
そして、アームパッド１１の周縁には、綿布製の縁巻テープ１１ｂを縫製により設けている。
【００２５】
また、前記ひじ保護プレート２１の外面に固着するひじ衝撃緩衝材２３の周縁には、綿布製の縁巻テープ２３ａを縫製により設けるとともに、周縁を前記第一ひじパッド２２の周縁部の内側に縫製により取付けている。
このように、前記ひじ衝撃緩衝材２３は、ひじ保護プレート２１の外面全体を覆うとともに、第一ひじパッド２２の周縁部を残して第一ひじパッド２２の外面を覆っているのである。
【００２６】
また、前記上膊保護プレート３１の外面の上膊衝撃緩衝材３３の周縁には、図４に示すように、綿布製の縁巻テープ３３ａを縫製により設けるとともに、図１に示すように周縁を前記アームパッド１１における上膊パッド３２の中央部に縫製により取付けている。
このように、前記上膊衝撃緩衝材３３は、前記上膊保護プレート３１の外面を覆うとともに、上膊パッド３２の中央部外面を覆っているのである。
【００２７】
そして、前記ひじ保護部２と前記上膊保護部３とを連結する前記連結部４は、前記アームパッド１１における前記第二ひじパッド４１をひじ保護部２の第一ひじパッド２２の内側に位置させて、第二ひじパッド４１の両側縁と第一ひじパッド２２の両側縁とを縫製部４２により固定するように構成している。
この第二ひじパッド４１の両側縁と第一ひじパッド２２の両側縁との縫製部４２は、図２及び図４に太点線で示しており、本考案の最も特徴とする構成である。
【００２８】
第一ひじパッド２２の内側に第二ひじパッド４１を固定したときに、図２及び図４に示すように、第二ひじパッド４１の下端４１ａは、第一ひじパッド２２の下端縁２２ｃの内側に位置し、かつ、非固定で自由端となっている。
また、このとき、第一ひじパッド２２の上端縁２２ｄは、上膊保護部３の上膊衝撃緩衝材３３の外面下方部に重なって位置している。
【００２９】
このように、ひじ保護部２のパッドを二層構造にしてひじ部の保護を確実にしながら、打撃前のひじの屈曲から打撃時のひじの伸張過程で、両ひじパッド２２、４１の両側縁が変形しやすく、かつ、両ひじパッド２２、４１の相互の変位が生じやすく、打者の違和感を減少させることができるのである。
また、第二ひじパッド４１の両側縁と第一ひじパッド２２の両側縁とを固定しているから、ひじ保護部２に設けた後記するひじ用固定バンド部材５により打者のひじ部への装着を確実にすることができるのである。
【００３０】
ひじ用固定バンド部材５は、図１〜図３に示すように、前記ひじ保護部２における第一ひじパッド２２の外面の各側方部であって前記ひじ衝撃緩衝材２３の縁部近傍に設けたバンド折返し具５１と、バンド巻止め具５２と、バンド巻止め具５２に一端を巻止めした主体が合成ゴム製で表面がポリエステル製のひじ用固定バンド５３とを備えている。
ひじ用固定バンド５３は、ひじ保護部２をひじに装着して他端側をバンド折返し具５１に通して面ファスナー５４で固定するのであり、他端側に面ファスナー５４のフック面５４ａを取付け、他端側のフック面５４ａが重なる部分に面ファスナー５４のループ面５４ｂを取付けている。
【００３１】
なお、ひじ用固定バンド５３の長さ調節はバンド巻止め具５２により行うことができ、締付け具合の微調節は面ファスナー５４のフック面５４ａとループ面５４ｂの係合位置の選択で行うことができる。
また、上膊用固定バンド部材６は、図１〜図３に示すように、前記上膊保護部３における上膊パッド３２の外面であって前記上膊緩衝材３３の上下方向中央縁部近傍に設けたバンド折返し具６１と、上膊緩衝材３３の上下方向中央に帯状に設けた面ファスナー６２のフック面６２ａと、前記フック面６２ａの一端部側に一端を固定した主体が合成ゴム製であって表面がポリエステル製の上膊用固定バンド６３とを備えている。
【００３２】
上膊用固定バンド６３は、上膊保護部３を上膊に装着して他端側をバンド折返し具６１に通して面ファスナー６２で固定するのであり、他端側に面ファスナー６２のループ面６２ｂを取付けて、前記フック面６２ａとで固定するのである。
なお、上膊用固定バンド６３の長さ調節及び締付け具合の微調節は、面ファスナー６２のフック面６２ａ及びループ面６２ｂの横幅を大きくすることにより行っている。
【００３３】
以上のように構成した野球用アームガード１は、図７に示すように腕に装着して使用するのであり、図７の打撃前の腕を屈曲した状態から、打撃後の腕を伸張した状態となる。
このような打撃過程において、野球用アームガード１は、ひじ保護部２のパッドを二層構造にしてひじ部の保護を確実にしながら、両ひじパッド２２、４１の両側縁が変形しやすく、かつ、両ひじパッド２２、４１の相互の変位が生じやすく、打者の違和感を減少させることができるのである。
【００３４】
また、第二ひじパッド４１の両側縁と第一ひじパッド２２の両側縁とを縫製部４２により固定しているから、ひじ保護部２に設けたひじ用固定バンド部材５により両ひじパッド４１、２２が変形して打者のひじ部へのひじ保護部２の装着を確実にすることができるのである。
以上の実施の形態では、野球用アームガードの構成について、上方、下方、上下、下端などの縦方向の上と下とを表す用語を用いて説明したが、これは野球用アームガードを腕に装着して腕を真っ直ぐに下方に降ろした状態におけるアームガードの構成の説明を記載したものである。
【００３５】
したがって、野球用アームガードは腕に装着して、腕をいろいろな方向に動かしたり、曲げたりすると、野球用アームガードの構成の上記説明と齟齬を生ずる場合がある。
以上の実施の形態では、野球用アームガードとして説明したが、ソフトボール用アームガードに適用することができることはもちろんである。
【００３６】
以上の本考案の実施の形態について、以下に変形例を例示する。
以上の実施の形態では、一例として寸法を示したが、これは打者の平均的な体格に適するタイプが「Ｍ」の場合であり、［ＬＬ］、「Ｌ」、「Ｓ」などのタイプのものとすることもできる。
【００３７】
また、以上の実施の形態では、野球用アームガードは、ひじ保護部と上膊保護部とを備えているが、さらに、前腕保護部を形成して、ひじ保護部の下端に固定するようにしてもよい。
以上の実施の形態では、第二ひじパッドの両側縁と第一ひじパッドの両側縁とを縫製部により固定したが、リベットなどの金具で固定してもよい。
【００３８】
また、以上の実施の形態では、ひじ保護プレートの形状を凹状としたが、横断面円弧状にしてもよい。
以上の実施の形態では、ひじ保護プレートの外面及び上膊保護プレートの外面にそれぞれひじ衝撃緩衝材及び上腕衝撃緩衝材を固着しているが、これら衝撃緩衝材を設けることなくひじ保護プレート及び上膊保護プレートを外側にむきだしとしてもよい。
【００３９】
この場合、各保護プレートの周縁に予め固定用孔を形成してパッドに縫い付けたり、リベットなどの金具でパッドに固定してもよい。
また、以上の実施の形態では、野球用アームガードを腕に装着する際に、ひじ用固定バンド及び上膊用固定バンドをそれぞれ面ファスナーにより固定するようにしたが、面ファスナーに替えて各種の固定手段を用いることができる。
【符号の説明】
【００４０】
１    野球用アームガード
２    ひじ保護部
２１  ひじ保護プレート
２２  第一ひじパッド
２３  ひじ衝撃緩衝材
３    上膊保護部
３１  上膊保護プレート
３２  上膊パッド
３３  上膊衝撃緩衝材
４    連結部
４１  第二ひじパッド
４２  縫製部
５    ひじ用固定バンド部材
６    上膊用固定バンド部材
【図１】
0003187849.tif 000003
【図２】
0003187849.tif 000004
【図３】
0003187849.tif 000005
【図４】
0003187849.tif 000006
【図５】
0003187849.tif 000007
【図６】
0003187849.tif 000008
【図７】
0003187849.tif 000009